(57)【特許請求の範囲】
【請求項１】
海面に浮かべられ且つ水路を備える浮体構造物に、水生生物が収容された飼育容器が着脱自在に取り付けられ、前記水路と前記飼育容器とが、連通路で連通されるとともに、前記海水に浸水された飼育容器の底から飼育容器内に海水が流入し、前記水路内の海水をポンプで排水することにより、前記飼育容器内の海水が、前記連通路および前記水路を通じて排水される水生生物の飼育装置において、
前記浮体構造物には、前記飼育容器が上方から嵌合される係止受部が設けられ、前記飼育容器には、下方に向けて幅狭となるテーパ形状の係止部が設けられるとともに、前記浮体構造物の係止受部には、前記係止部が密着するテーパ面が形成され、前記飼育容器は、係止部が係止受部に密着することで固定されることを特徴とする水生生物の飼育装置。
【請求項２】
前記請求項１に記載の水生生物の飼育装置において、前記飼育容器の係止部には、飼育容器内外に連通する開口が設けられるとともに、前記係止受部には、前記水路に導通する開口が設けられ、前記飼育容器が浮体構造物に固定された際に、前記開口同士が合致することにより、前記連通路を形成する構成であることを特徴とする水生生物の飼育装置。
【請求項３】
前記請求項１または２に記載の水生生物の飼育装置において、前記浮体構造物には、容器蓋が開閉自在に設けられ、前記容器蓋には、容器蓋を閉塞することにより、飼育容器を前記浮体構造物に固定させる押付部が設けられたことを特徴とする水生生物の飼育装置。
【請求項４】
前記請求項１〜３の何れか一つに記載の水生生物の飼育装置に使用可能な飼育容器であって、容器本体には、下方に向けて幅狭となるテーパ形状の係止部が設けられ、前記係止部には、前記容器本体内外に連通する開口が設けられており、前記容器本体の底部には、網取付部が、前記容器本体より径外方向に設けられ、前記容器本体の外側には、容器本体を引き上げる際に、前記網取り付け部が浮体構造物に引っ掛かるのを防止する防止ガイドが設けられ、容器本体の設置時に、網を前記網取付部に固定する底網固定具が直接荷重を受けないように、網取付部から脚部が下方に設けられたことを特徴とする飼育容器。
【請求項５】
前記請求項４に記載の飼育容器であって、前記容器本体における係止部の外周面は、外側に向け膨らみを持たせたことを特徴とする飼育容器。
【発明の詳細な説明】
【技術分野】
【０００１】
本発明は、水生生物の飼育装置および飼育容器に係り、特に、カキ類、アサリ、ハマグリ、アカガイ、ミルクイ、トリガイ、ウチムラサキ、ホンビノス、エゾイシカゲガイ等（以下、アサリ等という。）や、ナマコ等の水生生物の飼育装置および飼育容器に関する。
【背景技術】
【０００２】
例えば、二枚貝の中間育成方法として、海外では海面の天然餌料を効率よく飼育容器に供給することができるアップウェリング法が実用化されている。底面に網を張った飼育容器と排水路を連結して海面に筏で固定し、排水路に設けたポンプ等で排水路の水を排出することで排水路に連結した飼育容器を通じて水が流入する（例えば、特許文献１参照）。そのため、飼育容器は排水路にしっかり密着していなければならない。
【０００３】
飼育容器底面に張った網が目詰まりし、生残率の低下や低成長を招くのを防ぐために、飼育容器の網は出来る限り洗浄することが必要であり、飼育容器と排水路との密着性を維持させながら脱着自在に取り付けられることが望ましい。
【０００４】
しかし、海外でアップウェリング法が普及している海域は静穏域であるため飼育容器と排水路の固定方法はラフであり、例えば日本のように波のある海域で使用するためには飼育容器を排水路にボルトにより強固に締結固定することも考えられる。
【０００５】
また、水生生物を飼育する装置としては、水上に浮かべた浮体構造物を備え、浮体構造物の内部には、上面及び下面に開口した籠収容部が形成され、貝が収容される網籠（飼育容器）が籠収容部内に着脱自在に取り付けられることで、網籠が浸水状態となるように構成されているものがある。網籠を籠収容部に取り付ける構造は、網籠の上部にフックを設け、このフックを籠収容部の設けられた支持部材に、自重により引っ掛けることにより、網籠を籠収容部に取り付けていた（例えば、特許文献２参照）。
【先行技術文献】
【特許文献】
【０００６】
【特許文献１】特公平２-２４４９９
【特許文献２】特開２０１０−０２２２３１号公報
【発明の概要】
【発明が解決しようとする課題】
【０００７】
前記特許文献２に記載のように、網籠の上部に設けられたフックを、籠収容部の設けられた支持部材に自重により引っ掛ける場合には、網籠を固定することが困難となるために、網籠が波により動揺するおそれがある。このように網籠の波による動揺で養殖生物にストレスを与える問題があった。
【０００８】
また、飼育容器を排水路にボルトにより固定する場合、ボルトによる固定作業は、海水に手を浸けて行わなければならない場合があるが、かかる場合、作業者にとって辛い作業である。また、ボルトによる固定部が海中に存在すると、かかる固定部（ネジ部）に付着生物が不用意に付着する。二枚貝の飼育期間等が経過すると、飼育容器を回収する必要があるが、ネジ部に付着生物が付着していると、ボルトを操作してスムーズに回動させるのが困難となる問題があった。
【０００９】
そこで、本発明は、飼育容器の固定作業の簡素化を図り、しかも、飼育容器の固定手段の部品点数を削減するとともに、固定の確実性を向上して飼育容器の波による動揺防止を図る水生生物の飼育装置及び飼育容器を提供することを課題とする。
【課題を解決するための手段】
【００１０】
本発明は、前記課題を解決するためになされたもので、水生生物の飼育装置としての特徴は、海面に浮かべられ且つ水路を備える浮体構造物に、水生生物が収容された飼育容器が着脱自在に取り付けられ、前記水路と前記飼育容器とが、連通路で連通されるとともに、前記海水に浸水された飼育容器の底から飼育容器内に海水が流入し、前記水路内の海水をポンプで排水することにより、前記飼育容器内の海水が、前記連通路および前記水路を通じて排水される水生生物の飼育装置において、前記浮体構造物には、前記飼育容器が上方から嵌合される係止受部が設けられ、前記飼育容器には、下方に向けて幅狭となるテーパ形状の係止部が設けられるとともに、前記浮体構造物の係止受部には、前記係止部が密着するテーパ面が形成され、前記飼育容器は、係止部が係止受部に密着することで固定されることにある。
【００１１】
かかる飼育装置は、前記浮体構造物の係止受部に、前記飼育容器の係止部を上方から嵌合させるという簡単な手段により、係止受部と係止部とがテーパ嵌合するため、前記浮体構造物の係止受部に前記飼育容器を横にずれたりしてガタ付くことなく、確実に固定できる。このため、前記飼育容器の波による動揺を防止できる。
【００１２】
前記飼育装置において、前記飼育容器の係止部には、飼育容器内外に連通する開口が設けられるとともに、前記係止受部には、前記水路に導通する開口が設けられ、前記飼育容器が浮体構造物に固定された際に、前記開口同士が合致することにより、前記連通路を形成する構成であるのが好ましい。
【００１３】
かかる場合には、前記飼育容器と浮体構造物間の水シール性が向上するとともに、簡単な構成により、前記水路と前記飼育容器とを連通させることが可能となる。
【００１４】
前記飼育装置において、前記浮体構造物には、容器蓋が開閉自在に設けられ、前記容器蓋には、容器蓋を閉塞することにより、飼育容器を前記浮体構造物に固定させる押付部が設けられたことにある。かかる場合には、容器蓋が飼育容器の固定手段の機能を有しているため、専用の固定手段が不要となり、部品点数を減少することができる。
【００１５】
前記水生生物の飼育装置に使用可能な飼育容器であって、容器本体には、下方に向けて幅狭となるテーパ形状の係止部が設けられ、前記係止部には、前記容器本体内外に連通する開口が設けられており、前記容器本体の底部には、網取付部が、前記容器本体より径外方向に設けられ、前記容器本体の外側には、容器本体を引き上げる際に、前記網取り付け部が浮体構造物に引っ掛かるのを防止する防止ガイドが設けられ、容器本体の設置時に、網を前記網取付部に固定する底網固定具が直接荷重を受けないように、網取付部から脚部が下方に設けられたことにある。
【００１６】
前記飼育容器であって、前記容器本体における係止部の外周面は、外側に向け膨らみを持たせるのが好ましい。
【発明の効果】
【００１７】
本発明は、浮体構造物の係止受部に、飼育容器の係止部を上方から嵌合させるという簡単な手段により、係止受部と係止部とがテーパ嵌合するため、飼育容器の固定作業の簡素化を図り、しかも、飼育容器の固定手段の部品点数を削減するとともに、固定の確実性を向上して飼育容器の波による動揺防止を図ることができる。
【図面の簡単な説明】
【００１８】
【図１】本発明の一実施形態に係る水生生物の飼育装置を示した図５のＡ−Ａ線断面図である。
【図２】同飼育装置を示した図５のＢ−Ｂ線断面図である。
【図３】同飼育装置の全体斜視図である。
【図４】同飼育装置の一部断面を含む正面図である。
【図５】同飼育装置の平面図である。
【図６】同飼育装置の一部断面を含む側面図である。
【図７】同飼育装置における飼育容器を示し、（ａ）は平面図、（ｂ）は正面図である。
【図８】同飼育装置における飼育容器を示す斜視図である。
【図９】同飼育装置における飼育容器を示し、（ａ）は飼育容器を取り付けた状態の一部断面を含む正面図、（ｂ）は飼育容器を取り出す状態の一部断面を含む正面図である。
【図１０】同飼育装置における飼育容器の要部を示す断面図である。
【図１１】（ａ）はダミー容器を示す斜視図、（ｂ）はダミー容器の使用状態を示す一部断面を含む正面図である。
【発明を実施するための形態】
【００１９】
以下、本発明の実施形態について図面を参照しながら説明する。図１〜図１１は、本発明の一実施形態を示す。
【００２０】
先ず、水生生物としての二枚貝に使用される二枚貝の飼育装置１について説明する。本飼育装置１は、図１〜図６に示すように、海水に浮かべられる浮体構造物としての筏２と、この筏２に着脱自在に取り付けられる飼育容器５と、飼育容器５内に海水を流通させるための駆動装置としてのポンプ６とから主構成された海面筏式飼育装置である。
【００２１】
筏２は、平面視矩形状の枠板からなる上部材としてのデッキ部材２０と、下部材３０とから構成されている。なお、デッキ部材２０および下部材３０は、それぞれＦＲＰの型成形で形成されている。
【００２２】
下部材３０は、下部材３０の略周囲に設けられたフロート部３１と、下部材３０の中央に設けられた排水路（水路）３２とを備えている。すなわち、水路３２は下部材３０の長手方向に沿って両端まで設けられている。そして、デッキ部材２０と下部材３０とを一体的に接着することにより、フロート部３１の上面に形成された開口は、デッキ部材２０で閉塞されている。また、水路３２両端には、水路３２内の海水を排出するポンプ６が設けられている。
【００２３】
水路３２は、一対の縦壁３２ａ、３２ｂと、縦壁３２ａ、３２ｂの下端間を連結する底壁３２ｃとから、断面略Ｕ字状に形成されている。両方の縦壁３２ａ、３２ｂの上部で且つ内側面には、載置部３３が設けられており、この載置部３３には、水路用蓋２５が着脱自在に載置され、この水路用蓋２５により、水路３２の上面開口が閉塞されている。
【００２４】
両方のフロート部３１と水路３２との間には、板状の飼育容器取付部材４０が設けられている。すなわち、飼育容器取付部材４０は、フロート部３１の内側壁３１ａと水路３２の外側の縦壁３２ａ、３２ｂとの間に、断面Ｌ字状の連結部材３４を介して水平に固定されている。また、飼育容器取付部材４０は、フロート部３１および水路３２のそれぞれの上面よりも下方に設けられており、フロート部３１、水路３２および飼育容器取付部材４０により、飼育容器収納部が形成されている。
【００２５】
飼育容器取付部材４０には、複数個の取付開口部４１が飼育容器取付部材４０を上下に貫通するように形成されている。
【００２６】
それぞれの取付開口部４１は、略矩形状に形成されており、飼育容器取付部材４０の開口周縁から下方に向けて小径（小幅）となる筒状の係止受部４３が突設されている。かかる係止受部４３の内面４３ａは、テーパ状に形成されている。また、係止受部４３の内面４３ａは、平面視において所定の曲率半径を有する凹面となっている。また、係止受部４３と水路３２との間には、係止受部４３内と水路３２内を連通する連通路４５が形成されている。すなわち、連通路４５は、縦壁３２ａ、３２ｂ内面と、係止受部４３の内面４３ａとに開口されている。
【００２７】
なお、本実施形態では、飼育容器取付部材４０を下部材３０とは別部材から構成したが、飼育容器取付部材４０を下部材３０と一体的に型成形することも可能である。
【００２８】
飼育容器５は、図７、図８および図１０に示すように、デッキ部材２０の係止受部４３に着脱自在に取り付けられる容器本体５０と、網具６０とから構成されている。容器本体５０は上下端が開口された筒状体からなり、容器本体５０上部には下方に向けて小径（幅狭）となるテーパ状の係止部５２が設けられている。
【００２９】
容器本体５０は、係止部５２も含めて所定曲率半径で凸状に湾曲形成（容器本体５０の周壁を外側に向け膨らみを持たせて形成）されている。具体的には、容器本体５０は、前記デッキ部材２０に形成された係止受部４３に対応する形状となっており、係止部５２は、前記係止受部４３と同様の曲率半径で凸状に湾曲形成されている。従って、容器本体５０の係止部５２が、係止受部４３に上方から嵌合された際に、互いに密着するようになっている。
【００３０】
また、係止部５２の一面（水路３２側の面）には、飼育容器５の内外に連通する開口５３が形成されている。この開口５３は、前記係止受部４３の内面４３ａに形成された開口４３ｂと合致するようになっている。さらに、係止部５２から傾斜環状部５５を介して下方に向けて小径となる胴部５６が設けられている。この胴部５６の下端から網取付部５７が径外方向に形成され、網取付部５７から下方に筒状の脚部５８が延設されている。
【００３１】
網具６０は、網６１の周囲に網枠６２が固定されたものである。そして、網枠６２は脚部５８内に収納されるとともに、底網固定具６３を介してボルト６４により、網取付部５７に固定されている。なお、脚部５８の下端は、底網固定具６３よりも下方に突出しており、飼育容器５を立設させるべく脚部５８を設置させた際に、底網固定具６３が直接荷重を受けないようになっている。また、脚部５８の上端から容器本体５０の周面には、飼育容器５を引き上げる際に、前記網取り付け部が筏２の係止受部４３に引っ掛かるのを防止するための三角形状の防止ガイド６５が、放射状に複数個設けられている。
【００３２】
前記デッキ部材２０には、飼育容器収納部を閉塞するように、ヒンジ２３を介して容器蓋（ハッチ）２６が、開閉自在に連結されている。この容器蓋２６の下面には、閉塞時に飼育容器５を上方から押圧するための押付部２７が突設されている。この押付部２７は、容器蓋２６を閉塞した際に、飼育容器取付部材４０に取り付けられた飼育容器５が上方に浮き上がるのを阻止するためのものである。
【００３３】
容器蓋２６は、ロック部材２８により解除自在に閉塞状態を維持することが可能である。ロック部材２８は、デッキ部材２０に移動自在に設けても、あるいは、ボルトで着脱自在に設けることも可能である。
【００３４】
本実施形態の飼育装置１は以上の構成からなり、次に、かかる飼育装置１を使用したアサリ等の二枚貝７の養殖方法について説明する。
【００３５】
先ず、飼育容器５の上面に形成された開口から、複数個の二枚貝７としてのアサリ種苗を収容する。かかる、アサリ種苗の収容作業は、例えば、陸上、飼育装置１に横付けされた船舶または飼育装置１のデッキ上面等で行なう。このとき、飼育容器５は、脚部５８を有しているため、それぞれ立脚させた状態でアサリ種苗の収容作業を行なうことが可能となる。
【００３６】
なお、必要に応じて、飼育容器５内に粒状の養殖基質も収容することが可能である。
【００３７】
前記飼育容器５には、ロープやフック等の吊上手段５９が適宜設けられており、この吊上手段５９を介して飼育容器５を、筏２に設けられたクレーン１０によって吊り上げる（図４参照）。そして、クレーン１０によって吊り上げられた飼育容器５を、所定の位置（係止受部４３の上方位置）において下降させる。飼育容器５の胴部５６の下端に設けられた脚部５８は、係止受部４３下端の開口よりも小径となっているため、係止受部４３内を容易に通過させることができる。さらに、飼育容器５の係止部５２を、係止受部４３に上方から嵌合させる。
【００３８】
飼育容器５の係止部５２のテーパ面は、係止受部４３のテーパ面に上方から密着することとなり、これにより、飼育容器５は、ガタ付くことなく嵌合される。このとき、飼育容器５の係止部５２に形成された開口５３と、係止受部４３に形成された開口４３ｂとが合致するため、飼育容器５内部と水路３２とが、連通路４５を介して連通する。
【００３９】
さらに、容器蓋２６を閉じて、飼育容器５を閉塞する。このように、容器蓋２６を閉じることにより、容器蓋２６下面に設けられた押付部２７が、飼育容器５の上周面に上方から当接するため、飼育容器５が上方に移動するのを規制する。この結果、飼育容器５は、上下の移動が規制された状態で固定される。
【００４０】
飼育容器取付部材４０に取り付けられた飼育容器５は、浸水状態となっており、飼育容器５内に収容された二枚貝７が水中に配置される。海水の水面は、飼育容器取付部材４０よりも若干上部に位置する。
【００４１】
次に、ポンプ６を作動させると、ポンプ６は水路３２内の海水を排水する。このことにより、飼育容器５の下部に設けられた網６１を介して、海水が飼育容器５内に流入する。そして、飼育容器５内の海水は、飼育容器５の上部に位置する連通路４５を流れて水路３２に流入し、水路３２に流入した海水は、ポンプ６により、飼育装置１外の海面に排出される。このように、飼育容器５の底面、飼育容器５内部、連通路４５、水路３２および海面へと海水が流れる水流を強制的に発生させるため、かかる水流により、二枚貝７の餌の補足を促進させることができ、効率よく育成することができる。
【００４２】
水路３２内の海水は、ポンプ６により強制的に排出されるため、水路３２内および飼育容器５内の水面が、飼育装置１外の海面よりも低下する（図１参照）。このとき、水路３２内および飼育容器５内の水面が、飼育装置１外部の海面と一定になろうとするため、飼育容器５に浮力が作用する。この浮力により飼育容器５は上昇しようとするが、飼育容器５は、容器蓋２６に上方から固定されているため、浮き上がることはなく、容器蓋２６が固定手段の機能を有している（図９（ａ）参照）。
【００４３】
飼育容器５の洗浄、水生生物の選別、水生生物の収穫を目的として頻繁に飼育容器５を着脱する必要がある。そこで、飼育容器５を着脱する場合について説明する。
【００４４】
先ず、それぞれの容器蓋２６を開放する。そして、容器蓋２６を開放した状態でポンプ６を作動させる。飼育容器５の下に生じている上昇流により、飼育容器５が浮上する（図９（ｂ）参照）。さらに、クレーン１０によって、浮上した飼育容器５を吊り上げる。飼育容器５は浮上して嵌合が解除されているので、クレーン１０によって容易且つ迅速に上昇させて取り出すことができる。
【００４５】
なお、前記のように、飼育容器４は上方から係止受部４３にテーパ嵌合しているだけなので、ポンプ６を作動させることなく、クレーン１０によって上昇させて取り出すことも可能であるが、前記のように、ポンプ６を作動させて上昇流により、飼育容器５を浮上させるのが好ましい。
【００４６】
飼育容器５の吊り上げ時に、飼育容器５が水平方向に片寄りした場合であっても、飼育容器５には、防止ガイド６５が適宜設けられているため、この防止ガイド６５が係止受部４３の下端に当接することとなる。このため、飼育容器５下部の網取付部５７が係止受部４３に当接することはなく、防止ガイド６５の先端が係止受部４３を摺動するため、飼育容器５をスムーズに引き上げることができる。
【００４７】
本実施形態は、飼育容器５壁面を外側に向けて膨らみを持たせている。従って、飼育容器５内の飼育面積効率が高くなり、また、飼育容器５は凹み難くなるため、強度が高くなる。このように、飼育容器５に強度を持たせているため、飼育容器５を係止受部４３に嵌合させた際に、飼育容器５が横ずれするのが防止できるとともに、飼育容器５の係止部５２と係止受部４３との良好な密着性が維持され。係止部５２と係止受部４３との開口間の水シール性が向上する。
【００４８】
また、二枚貝７の飼育量が少ない場合には、すべての飼育容器５を使用する必要がない。かかる場合には、図１１に示すようなダミー容器１２を採用する。かかるダミー容器１２は、係止受部４３に上方から嵌合するテーパ部１２ａを有する環状体からなる。そして、ダミー容器１２を係止受部４３に嵌合させることにより、係止部４３の開口４３ｂを閉塞させることができる。このように、ダミー容器１２で係止部４３の開口４３ｂを閉塞させることにより、海水が連通路４５を流れるのを防止できる。従って、排水量を下げることができることとなるため、ポンプ６の負荷を下げることができる。なお、容器蓋２６により、ダミー容器１２を固定するのは、前記飼育容器５と同様である。
【００４９】
前記実施形態では、容器蓋２６に飼育容器５を固定する押付部２７を設けたので、飼育容器５を固定する専用の固定手段が不要となり、飼育容器５の固定作業の容易化と、部品点数の削減を図ることができる。なお、押付部２７は飼育容器５側に設けることも可能である。
【００５０】
また、網具６０は、底網固定具６３を介してボルト６４により、容器本体５０の底面より外側に突出する網取付部５７に固定されているため、ボルト６４等の取付部の錆びが発生しても、容器本体５０内に侵入することはほとんどなく、水生生物の生育に害の防止を図れる。また、容器本体５０の底部には脚部５８が設けられているため、飼育容器５を接地させる際の安定性向上と網部損傷防止を図れる。
【００５１】
本発明は、前記実施形態に限定されるものではない。例えば、ダミー容器１２は、必ずしも設ける必要はない。かかるダミー容器１２に代えて、飼育容器５を９０°回転させて、取り付けることにより、開口４３ｂを閉塞させるようにしてもよい。かかる場合には、ダミー容器１２が不要となる。
【００５２】
また、飼育容器５の形状も矩形状に限らず、任意の多角形とすることも可能である。
【符号の説明】
【００５３】
１          飼育装置
２          筏（浮体構造物）
５          飼育容器
６          ポンプ
７          二枚貝
１２        ダミー容器
１２ａ      テーパ部
２０        デッキ部材（上部材）
２５        水路用蓋
２６        容器蓋
２７        押付部
３０        下部材
３１        フロート部
３２        水路
４０        飼育容器取付部材
４３        係止受部
４３ａ      内面
４３ｂ      開口
４５        連通路
５０        容器本体
５２        係止部
５３        開口
５６        胴部
５８        脚部
６０        網具
６１        網
６２        網枠
６３        底網固定具
６５        防止ガイド
【図１】
0005697543.tif 000002
【図２】
0005697543.tif 000003
【図３】
0005697543.tif 000004
【図４】
0005697543.tif 000005
【図５】
0005697543.tif 000006
【図６】
0005697543.tif 000007
【図７】
0005697543.tif 000008
【図８】
0005697543.tif 000009
【図９】
0005697543.tif 000010
【図１０】
0005697543.tif 000011
【図１１】
0005697543.tif 000012